(57)【要約】【課題】安価で、断熱性に優れしかも薄い風向変更羽根を有する空気調和機を提供する。【解決手段】熱交換器（図示せず）と、前記熱交換器で熱交換された空気を吹き出す吹出口（図示せず）と、前記吹出口から吹き出される空気の向きを変更する風向変更羽根１５とを備え、前記風向変更羽根１５内に中空層４を設け、その中空層４内にアルミニウム製の薄板３を入れたもので、薄板３により、熱の伝わり方の３要素である熱伝導、熱伝達、輻射のうち輻射を防ぐことができ、しかも輻射を防ぐ基本的な方法である距離を離すことなく熱の伝わりを防ぐことができるので、風向変更羽根１５の断熱性能を高めると共に、風向変更羽根１５全体の厚さを薄くすることができる。【選択図】図１
2008281303.tif 000002
【特許請求の範囲】
【請求項１】
熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内にアルミニウム製の薄板を入れたことを特徴とする空気調和機。
【請求項２】
熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内にアルミニウム製の粘着テープを貼り付けたことを特徴とする空気調和機。
【請求項３】
熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に淡色樹脂フィルムを入れることを特徴とする空気調和機。
【請求項４】
熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に発泡樹脂を入れることを特徴とする空気調和機。
【請求項５】
熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に白色紙を入れることを特徴とする空気調和機。
【発明の詳細な説明】
【技術分野】
【０００１】
本発明は、空気調和機に関するもので、特に風向変更羽根の断熱に関するものである。
【背景技術】
【０００２】
従来の空気調和機として、図２に示されるようなものがあった。図２は、従来の空気調和機の断面図である。
【０００３】
図２において、従来の空気調和機の本体２０の天面には、空気取り入れ口２１が設けられ、内部に、熱交換器２２と、空気取り入れ口２１から室内空気を取り入れ、熱交換器２２で熱交換された空気を、本体２０の下方に設けた吹出口１０から吹き出すための室内ファン２３が設けられている。吹出口１０には、吹き出される空気の向きを変えるための風向変更羽根５が設けられている。
【０００４】
そして、冷房運転時に風向変更羽根５の片側に結露が生じないようにするため、風向変更羽根５の両面に吹き出し風を流すようになっていた。
【０００５】
しかしながら、上記構成では、冷暖運転時に、冷気が直接斜め下方に吹き出され、人体に当たるので、非常に不快であった。
【０００６】
そこで、近年、冷房運転時の室内空間の快適性を向上するため、図３に示すように、風向変更羽根６を吹出口１０の下面に沿うように構成し、冷風を天井に向けて送風するようにした空気調和機がある。この場合、冷たい空気が風向変更羽根６の上面にのみ当たり、下面は、外気にさらされる構造となっているため、風向変更羽根６の下面に結露などが生じる危険性があり、それを防ぐために、風向変更羽根６の下面に断熱材６ａを貼り付けていた。
【０００７】
さらに、図４に示すように、風向変更羽根７の外観を良くするため、または強度を増すために、風向変更羽根７を２枚の樹脂板で構成すると共に、２枚の樹脂板間に空気層７ａを設けて中空構造とし、空気断熱の効果を得るようにして、風向変更羽根７の下面に結露が生じないようにした空気調和機もある（例えば、特許文献１参照）。
【特許文献１】特開平８−６１６９０号公報
【発明の開示】
【発明が解決しようとする課題】
【０００８】
しかしながら、図３に示すような、風向変更羽根に断熱材を貼り付けるようにした従来の空気調和機の構成では、断熱材側の外観が悪く、また、断熱材側に強度がないため風向変更羽根全体の強度が低いという課題を有していた。
【０００９】
また、図４に示すような従来の空気調和機の構成では、風向変更羽根の外観は良化するが、輻射により熱を伝えてしまうため、２枚の樹脂板の距離を輻射の影響がない程度まで離さなければならず、その結果、風向変更羽根の全体の厚みが厚くなってしまうという課題を有していた。
【００１０】
本発明は、前記従来の課題を解決するもので、風向変更羽根の外観を良化し、強度を上げ、風向変更羽根の全体の厚さを薄くすることで、安価で断熱性能の良い空気調和気を提供することを目的とする。
【課題を解決するための手段】
【００１１】
前記従来の課題を解決するために、本発明の空気調和機は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内にアルミニウム製の薄板を入れたもので、薄板により、熱の伝わり方の３要素である熱伝導、熱伝達、輻射のうち輻射を防ぐことができ、しかも輻射を防ぐ基本的な方法である距離を離すことなく熱の伝わりを防ぐことができるので、風向変更羽根の断熱性能を高めると共に、風向変更羽根全体の厚さを薄くすることができる。
【００１２】
また、本発明の空気調和機は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内にアルミニウム製の粘着テープを貼り付けたもので、作業性が良化しつつ、輻射を防ぎ、風向変更羽根の断熱性能を高めると共に、風向変更羽根全体の厚さを薄くすることができる。
【００１３】
また、本発明の空気調和機は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に淡色樹脂フィルムを入れるもので、アルミニウム製の薄板より効果は減少するものの金属製から樹脂製に変えることにより、安価な構成で断熱効果を得ることができ、しかも、淡色樹脂フィルムで輻射が防げるので、風向変更羽根の全体の厚さを薄くすることができる。
【００１４】
また、本発明の空気調和機は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に発泡樹脂を入れるもので、熱伝導と熱伝達は多少悪化するものの、安価な構成で輻射を防ぐことができると共に、強度が高く、薄い風向変更羽根とすることができる。
【００１５】
さらに、本発明の空気調和機は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に白色紙を入れるもので、アルミニウム製の薄板などと比較すると輻射を防ぐ効果は多少少ないものの、中空層に何も入れない風向変更羽根よりは輻射を防ぐことができ、風向変更羽根全体の断熱効果を上げることができ、しかも風向変更羽根の全体の厚さを薄くすることができる。
【発明の効果】
【００１６】
本発明の空気調和機は、風向変更羽根全体の厚さを薄くすることができると共に、従来の風向変更羽根の片側に断熱材を貼り付ける仕様と比較して、風向変更羽根の強度を増すことができ、さらに外観を良化することができる。
【発明を実施するための最良の形態】
【００１７】
第１の発明は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内にアルミニウム製の薄板を入れたもので、薄板により、熱の伝わり方の３要素である熱伝導、熱伝達、輻射のうち輻射を防ぐことができ、しかも輻射を防ぐ基本的な方法である距離を離すことなく熱の伝わりを防ぐことができるので、風向変更羽根の断熱性能を高めると共に、風向変更羽根全体の厚さを薄くすることができる。
【００１８】
第２の発明は、熱交換器と、前記熱交換器で熱交換された空気を吹き出す吹出口と、前
記吹出口から吹き出される空気の向きを変更する風向変更羽根とを備え、前記風向変更羽根内に中空層を設け、その中空層内にアルミニウム製の粘着テープを貼り付けたもので、作業性が良化しつつ、輻射を防ぎ、風向変更羽根の断熱性能を高めると共に、風向変更羽根全体の厚さを薄くすることができる。
【００１９】
第３の発明は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に淡色樹脂フィルムを入れるもので、アルミニウム製の薄板より効果は減少するものの金属製から樹脂製に変えることにより、安価な構成で断熱効果を得ることができ、しかも、淡色樹脂フィルムで輻射が防げるので、風向変更羽根の全体の厚さを薄くすることができる。
【００２０】
第４の発明は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に発泡樹脂を入れるもので、熱伝導と熱伝達は多少悪化するものの、安価な構成で輻射を防ぐことができると共に、強度が高く、薄い風向変更羽根とすることができる。
【００２１】
第５の発明は、熱交換器と、前記熱交換器で熱交換された空気を吹き出す吹出口と、前記吹出口から吹き出される空気の向きを変更する風向変更羽根とを備え、前記風向変更羽根内に中空層を設け、その中空層内に白色紙を入れるもので、アルミニウム製の薄板などと比較すると輻射を防ぐ効果は多少少ないものの、中空層に何も入れない風向変更羽根よりは輻射を防ぐことができ、風向変更羽根全体の断熱効果を上げることができ、しかも風向変更羽根の全体の厚さを薄くすることができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における空気調和機の風向変更羽根の断面図である。尚、上記従来の空気調和機と同一部分については、同一符号を付してその説明を省略する。
【００２４】
図１において、本実施の形態における空気調和機の風向変更羽根１５は、それぞれ樹脂板からなる風向変更羽根外側１と風向変更羽根内側２の２枚をはめ込み、または接着、または溶着などで接合し、風向変更羽根外側１と風向変更羽根内側２との間に形成される中空層４に、アルミ箔などアルミニウム製の薄板３を入れて構成したもので、これにより、風向変更羽根１５は、樹脂層、空気層及びアルミニウム層を有することになる。
【００２５】
以上のように構成された本実施の形態における空気調和機の風向変更羽根１５について、以下その動作、作用を説明する。
【００２６】
まず、風向変更羽根１５の空気層となる中空層４は、安価で熱伝導の少ない方法であることはよく知られている。しかし、風向変更羽根１５の厚さを薄くしようとすると、熱伝導という観点では、断熱効果はあっても輻射の影響により熱を伝えてしまうが、本実施の形態では、中空層４に、アルミニウム製の薄板３を入れてアルミニウム層を形成しているので輻射を防ぐことができ、風向変更羽根１５全体の断熱性能を大幅に上げることができる。
【００２７】
以上のように、本実施の形態によれば、風向変更羽根１５の中空層４にアルミニウム製
の薄板３を入れることにより、輻射を防ぐ構造となり、従来の断熱材を片側に貼り付ける構造と比較して、風向変更羽根１５全体の強度を増し、外観を良化し、さらに厚さを薄くすることができる。
【００２８】
なお、風向変更羽根１５の中空層４に、薄板３の代わりに、アルミニウム製の粘着テープを貼り付けるようにすれば、アルミニウム製の薄板３を入れることと同等の効果を得ると共に、作業性が向上する。
【００２９】
なお、風向変更羽根１５の中空層４に、薄板３の代わりに、淡色樹脂フィルムを入れるようにすれば、アルミニウム製の薄板３を入れることよりは、断熱効果は多少減少するものの安価に風向変更羽根を作ることができる。
【００３０】
また、風向変更羽根１５の中空層４に、薄板３の代わりに、発泡樹脂を入れるようにすれば、空気層である中空層４より熱伝導では効果は多少減少するものの、輻射を防ぐ効果は、アルミニウム製の薄板３を入れることとほぼ同等の効果を得ることができる。
【００３１】
また、風向変更羽根１５の中空層４に、薄板３の代わりに、白色紙を入れるようにすれば、アルミニウムの薄板３と比較して輻射を防ぐ効果は薄いものの、安価な材料で断熱効果を得ることができる。
【産業上の利用可能性】
【００３２】
以上のように、本発明にかかる空気調和機の風向変更羽根は、安価で外観が良く、強度が強く、断熱性に優れ、厚みを薄くすることができるので、風向変更羽根に限らず断熱が必要な箇所の用途にも適用できる。
【図面の簡単な説明】
【００３３】
【図１】本発明の実施の形態１における空気調和機の風向変更羽根の断面図
【図２】従来の空気調和機の断面図
【図３】従来の他の空気調和機の断面図
【図４】従来の他の空気調和機の断面図
【符号の説明】
【００３４】
１  風向変更羽根外側
２  風向変更羽根内側
３  薄板
４  中空層
１５  風向変更羽根
【図１】
2008281303.tif 000003
【図２】
2008281303.tif 000004
【図３】
2008281303.tif 000005
【図４】
2008281303.tif 000006